【事件の表示】
　特願２０１５−１９４５２８「Ｘ線ＣＴ装置及び画像処理装置」拒絶査定不服審判事件〔平成２９年　４月　６日出願公開、特開２０１７−　６４１２５、請求項の数（８）〕について、次のとおり審決する。
【結　論】
　原査定を取り消す。
　本願の発明は、特許すべきものとする。
【理　由】
第１　手続の経緯
　本件出願（以下「本願」と記す。）は、平成２７年（２０１５年）９月３０日の出願であって、平成３０年９月４日に審査請求がなされ、令和元年６月１３日付けで拒絶理由が通知され、同年８月６日に意見書及び手続補正書が提出され、同年１１月２７日付けで最後の拒絶理由が通知され、令和２年１月２８日付けで意見書及び手続補正書が提出され、同年４月１６日付けで補正の却下の決定がなされるとともに同日付けで拒絶査定されたところ、同年７月１５日に拒絶査定不服審判の請求がなされると同時に同日付けで提出された手続補正書により手続補正がなされ、同年８月１３日に前置報告がなされたものである。
第２　原査定の概要
　原査定（令和２年４月１６日付け拒絶査定）の概要は次のとおりである。
　本願の請求項１ないし８に係る発明は、以下の引用文献１及び２に記載された発明に基づいて、その発明の属する技術の分野における通常の知識を有する者（以下「当業者」という。）が容易に発明できたものであるから、特許法第２９条第２項の規定により特許を受けることができない。
引用文献等一覧
１．特表２０１５−５１０１５７号公報
２．特開平８−１６６９９５号公報
第３　審判請求時の補正について
　審判請求時の補正は、特許法第１７条の２第３項から第６項までの要件に違反しているものとはいえない。
　審判請求時の補正によって請求項１及び８に「前記関心領域内においては拡大再構成を行う（再構成条件）」及び「前記関心領域内で拡大再構成が行われたＣＴ画像を含む（ＣＴ画像）」という事項を追加する補正は、特許請求の範囲の減縮を目的とするものであるか、また、「前記関心領域内においては拡大再構成を行う（再構成条件）」及び「前記関心領域内で拡大再構成が行われたＣＴ画像を含む（ＣＴ画像）」という事項は、当初明細書の段落【００６６】及び【図７】に記載されているから、当該補正は新規事項を追加するものではないかについて検討すると、補正後の請求項１及び８では構築部が「ＣＴ画像の読影傾向に基づいて、関心領域の内外で異なる再構成条件を構築する構築部」から「ＣＴ画像の読影傾向に基づいて、関心領域の内外で異なる再構成条件であって、前記関心領域内においては拡大再構成を行う再構成条件を構築する構築部」となり、画像生成部が「前記構築部が構築した再構成条件に基づいて、前記関心領域の内外で再構成条件を異ならせない場合より少ない枚数のＣＴ画像を生成する画像生成部」から「前記構築部が構築した再構成条件に基づいて、前記関心領域の内外で再構成条件を異ならせない場合より少ない枚数のＣＴ画像であって、前記関心領域内で拡大再構成が行われたＣＴ画像を含むＣＴ画像を生成する画像生成部」と変更されることから、「前記関心領域内においては拡大再構成を行う（再構成条件）」及び「前記関心領域内で拡大再構成が行われたＣＴ画像を含む（ＣＴ画像）」という事項を追加する補正は、特許請求の範囲の減縮を目的とするものである。また、当初明細書の段落【００６６】及び【図７】に関心領域ＲＢ２及び関心領域内のＲＡ３において拡大再構成を行うことは開示されているから、「前記関心領域内においては拡大再構成を行う（再構成条件）」及び「前記関心領域内で拡大再構成が行われたＣＴ画像を含む（ＣＴ画像）」という事項は、当初明細書等に記載された事項であり、新規事項を追加するものではないといえる。
　そして、「第４　本願発明」から「第６　対比・判断」までに示すように、補正後の請求項１−４に係る発明は、独立特許要件を満たすものである。
第４　本願発明
　本願請求項１ないし８に係る発明（以下それぞれ「本願発明１」ないし「本願発明２」という。）は、令和２年７月１５日提出の手続補正書により手続補正された特許請求の範囲の請求項１ないし８に記載された事項により特定される発明であり、本願発明１及び８は以下のとおりである。（下線は補正箇所を表す。）
「【請求項１】
　ＣＴ画像の読影傾向に基づいて、関心領域の内外で異なる
再構成条件であって、前記関心領域内においては拡大再構成を行う
　前記構築部が構築した再構成条件に基づいて、前記関心領域の内外で再構成条件を異ならせない場合より少ない枚数のＣＴ画像
であって、前記関心領域内で拡大再構成が行われたＣＴ画像を含むＣＴ画像
　前記画像生成部が生成したＣＴ画像を表示するよう制御する表示制御部と、
　を備える、Ｘ線ＣＴ装置。」
「【請求項８】
　ＣＴ画像の読影傾向に基づいて、関心領域の内外で異なる
再構成条件であって、かつ、前記関心領域内においては拡大再構成を行う
　前記構築部が構築した再構成条件に基づいて、前記関心領域の内外で再構成条件を異ならせない場合より少ない枚数のＣＴ画像
であって、前記関心領域内で拡大再構成が行われたＣＴ画像を含むＣＴ画像
　前記画像生成部が生成したＣＴ画像を表示するよう制御する表示制御部と、
　を備える、画像処理装置。」
　なお、本願発明２ないし７の概要は以下のとおりである。
　本願発明２ないし７は、本願発明１を減縮した発明である。
第５　引用文献、引用発明等
１．引用文献１について
　原査定の拒絶の理由に引用された上記引用文献１には、図面とともに次の事項が記載されている。（下線は当審が付与した。以下同じ。）
（１）「【０００１】
　以下は、医療技術、医用撮像技術、撮像に基づく医療診断及び治療技術、
医用画像再構成技術
（２）「【００１８】
　図１を参照して、開示に係る幾つかの
撮像システム
２つの撮像装置１０、１２、収集撮像データセットストレージ１４、及び電子プロセッサ１６によって表される撮像施設を図式的に示している。電子プロセッサ１６は、ここに開示される手法に従って撮像データを再構成して再構成画像を生成するように構成される。
撮像装置１０、１２は、
１つ以上の透過型コンピュータ断層撮影（ＣＴ）スキャナ
（３）「【００２２】
　目的の画像受領者は、物理的なプリント出力も意図されるが、例えば電子的な画像として、再構成画像を受領する。
電子的な画像の場合、目的の画像受領者（例えば、医師又は放射線医）は典型的に、キーボード４２又はその他１つ以上の入力装置（例えば、マウス若しくはその他のポインティング装置）とディスプレイ４４又はその他１つ以上の出力装置（例えば、ハードコピーを生成するプリンタ）とを有するコンピュータ又はワークステーション４０によって好適に実装される受領者画像表示・レビューモジュール３６を介して画像を眺める。
（４）「【００２４】
　先述のように、ここでは、異なる目的の画像受領者（例えば、異なる医師又は放射線医）は、使用すべき“最良”の画像再構成パラメータ値に関して異なる嗜好を有し得ることが認識される。例えば、一人の画像受領者は、強いフィルタリングによってもたらされる滑らかな画像を、強いフィルタリングによる細かいディテール若しくは鮮明さの幾らかの喪失、又はより低い解像度という犠牲を伴ってでも好むことがある、他方で、別の画像受領者は、その逆、すなわち、細かいディテール及び鮮明さ並びに最大の画像解像度の保持を、より高いノイズ若しくは潜在的なアーチファクト又はその他などの犠牲を伴ってでも好むことがある。更なる別の画像受領者は、より古い撮像システムによって生成された画像を読み取ることに自身のキャリアの殆どを費やしてきた者であり、得られる再構成画像が、より新しい撮像システムを用いて達成可能なもの（例えば、より高い画像解像度、より高いＳＮＲ、又はその他が可能であり得る）より客観的に良くない場合であっても、その古いシステムを再現するパラメータ値を用いて再構成された画像を好むことがある。ここでは、医学的な見地から、
目的の画像受領者に該受領者によって好まれる特性を有する再構成画像を提供する
【００２５】
　
この目的のため、電子プロセッサ１６によって実装される画像再構成設定モジュール５０が、再構成設定処理を実行する
データベース５２にその値が格納されるパラメータは（以下に限られないが）、反復回数（例えば反復式順／逆投影再構成などの反復再構成アルゴリズムの場合）、ピクセル若しくはボクセルのサイズ、緩和因子（リラクゼーションファクタ）、画像フィルタパラメータ（例えば、フィルタ順序、遮断周波数、等々）、動き補償に関するパラメータ、又は画像トランケーションなどを含み得る。
目的の画像受領者に関する画像受領者再構成プロファイルをデータベース５２から取り出し、取り出した画像受領者再構成プロファイルの画像再構成パラメータ値を用いて医用撮像データを再構成して再構成画像を生成することにより、その再構成画像は目的の画像受領者の嗜好に従っているということになる。
【００２６】
　画像受領者は典型的に、自身が好む画像再構成パラメータ値を直接的に指定するのに十分なほどに画像再構成アルゴリズムについて知識豊富ではないことがある医師又は放射線医である。従って、
電子プロセッサ１６によって実装されるフィードバック収集モジュール５４が、目的の画像受領者からの画像品質嗜好に関する間接的なフィードバックを収集し、電子プロセッサ１６によって実装されるプロファイル更新モジュール５６が、このフィードバックに基づいてパラメータの更新値（又は複数のパラメータの更新値）を決定するとともに、更新された１つ以上のパラメータ値を用いてデータベース５２内のプロファイルを更新する。
（５）「【図１】
」
　上記引用文献１の記載事項及び図面を総合勘案すると、引用文献１には、次の発明（以下「引用発明１」という。）が記載されていると認められる。
　
「医用画像再構成技術を備えた撮像システムにおいて、
　１つ以上の透過型コンピュータ断層撮影（ＣＴ）スキャナである２つの撮像装置１０、１２と、収集撮像データセットストレージ１４と、電子プロセッサ１６とからなり、
　電子プロセッサ１６は、撮像データを再構成して再構成画像を生成するように構成されるものであり、
　電子プロセッサ１６によって実装されるフィードバック収集モジュール５４が、目的の画像受領者からの画像品質嗜好に関する間接的なフィードバックを収集し、電子プロセッサ１６によって実装されるプロファイル更新モジュール５６が、このフィードバックに基づいてパラメータの更新値（又は複数のパラメータの更新値）を決定するとともに、更新された１つ以上のパラメータ値を用いてデータベース５２内のプロファイルを更新し、
　目的の画像受領者に関する画像受領者再構成プロファイルをデータベース５２から取り出し、取り出した画像受領者再構成プロファイルの画像再構成パラメータ値を用いて、電子プロセッサ１６によって実装される画像再構成設定モジュール５０が、再構成設定処理を実行することにより医用撮像データを再構成して再構成画像を生成することにより、目的の画像受領者に該受領者によって好まれる特性を有する再構成画像を提供するものであり、
　その再構成画像は目的の画像受領者の嗜好に従っているということになり、
データベース５２にその値が格納されるパラメータは（以下に限られないが）、反復回数（例えば反復式順／逆投影再構成などの反復再構成アルゴリズムの場合）、ピクセル若しくはボクセルのサイズ、緩和因子（リラクゼーションファクタ）、画像フィルタパラメータ（例えば、フィルタ順序、遮断周波数、等々）、動き補償に関するパラメータ、又は画像トランケーションなどを含み得るものであり、
　目的の画像受領者（例えば、医師又は放射線医）は典型的に、キーボード４２又はその他１つ以上の入力装置（例えば、マウス若しくはその他のポインティング装置）とディスプレイ４４又はその他１つ以上の出力装置（例えば、ハードコピーを生成するプリンタ）とを有するコンピュータ又はワークステーション４０によって好適に実装される受領者画像表示・レビューモジュール３６を介して画像を眺めるものである、
　撮像システム。」
　
２．引用文献２について
　原査定の拒絶の理由に引用された上記引用文献２には、図面とともに次の事項が記載されている。
（１）「【０００１】
【産業上の利用分野】本発明は、
医師等の医用画像の診断（読影）を支援するための情報を提供する医用診断支援システム
　
（２）「【００７２】
【実施例】以下、本発明の実施例を添付図面を参照して説明する。
【００７３】（第１実施例）図１は、
ＣＴ装置を用いて撮影した多数枚のＣＴ画像の読影を支援する医用診断支援システム
【００７４】
このＣＴ装置を用いた医用診断支援システムは、ヘリカルスキャン方式により、被検者（患者）の肺野全体等を撮影するＣＴ装置１と、ＣＴ装置１で取得された投影データの読影（診断）を支援するための診断支援システム部２とを備えている。また、この診断支援システム部２は、疑似スキャノグラム像作成用の疑似スキャノグラム作成装置３と、ＣＴ画像をコンピュータで解析するＣＡＤ装置４とを備えている。
（３）「【００７８】
診断支援システム部２は、データ収集装置９で処理された投影データ（生データ）を記憶する生データ記憶装置１３と、投影データに対し、所要のスライスピッチ及び所要のマトリクスサイズでコンボリューション演算、バックプロジェクション演算を含む再構成演算を行なって画像を再構成する（以下、再構成された画像を再構成画像という）再構成演算装置１４と、再構成画像と後述する擬似スキャノグラム像とを記憶する画像記憶装置１５と、再構成画像に対し必要に応じて所望の画像処理を施す画像処理装置１６と、再構成画像、擬似スキャノグラム像、異常陰影検出結果等をモニタに表示する表示装置１７と、モニタの画面のハードコピーを撮るハードコピー装置１８と、医師の所見記入用のレポート等を印刷する印刷装置１９とを備えている。
（４）「【００９３】また、
主制御装置２３のメモリ２３ｂには、予め入力装置２４を介して医師により設定された医師対応表データが記憶されている。この医師対応表データとは、医師の読影におけるＣＡＤ参照方法、再構成画像（各スライス画像）を表示する際における表示条件等各種条件、方法等であり、予め複数登録された医師のＩＤ番号に対応して適宜設定されている。主制御装置２３のＣＰＵ２３ａは、医師の読影の際に、メモリ２３ｂに記憶された医師対応表データを参照し、設定されたＣＡＤ参照方法、表示条件等の各種条件に基づいて対応する各構成要素を制御するようになっている
（５）「【０１２９】最初のステップＡ１であるＣＡＤの判定に基づく
システムの動作
【０１３０】
主制御装置２３のＣＰＵ２３ａは、生データ記憶装置１３に記憶された投影データを予め定められた細かいスライスピッチ（例えば２mm）で再構成する指令を再構成演算装置１４に送る
【０１３１】
再構成演算装置１４は、その指令に応じて細かいスライスピッチの画像Ｉia（ia=1〜m ）を再構成する
【０１３２】
そして、ＣＰＵ２３ａは、ＣＡＤ装置４に異常陰影検出指令を送り、待機状態に入る
【０１３３】一方、
ＣＡＤ装置４は、異常陰影検出処理指令が送られると、画像再構成されたＩia（ia=1〜m ）に対し、メモリに記憶されたアルゴリズムに従って異常陰影検出処理を施す
【０１３４】
続いてＣＡＤ装置４は、異常陰影が検出されたか否かの判定を行ない（ステップ３０２）、検出された場合（ステップ３０２の判断の結果、ＹＥＳ）、その異常陰影が検出されたスライス位置や異常陰影の位置等を含む情報（異常陰影検出情報）をＣＰＵ２３ａに送り（ステップ３０３）、処理を停止する。また、異常陰影が検出されなかった場合（ステップ３０２の判断の結果、ＮＯ）、異常陰影が検出されなかった旨を表す情報（異常陰影非検出情報）をＣＰＵ２３ａに送り（ステップ３０４）、処理を停止する。
【０１３５】
一方、ＣＰＵ２３ａは、ＣＡＤ装置４から異常陰影検出情報あるいは異常陰影非検出情報が入力されると待機状態から抜け、ステップ２０３において、異常陰影検出情報が入力されたか否か判断する
【０１３６】
異常陰影検出情報が入力されていると、ステップ２０３の判断はＹＥＳとなり、ステップ２０４において、その異常陰影検出情報から異常陰影を含むスライス及びその前後（Slice Of Interest:  ＳＯＩと称する）について他のスライスとスライスピッチを変えた再構成画像を作成する指令を再構成演算装置１４に送る。例えば、ＳＯＩでは、１mmあるいは２mmのように細かいピッチ、その他では１０mmと粗いピッチにするような指令を行なう。なお、ステップ２０４の処理では、ＳＯＩはズーミング再構成を行なってその領域あたりの画素を細かくして再構成し、異常陰影を含む部分を拡大することもできる
【０１３７】
再構成演算装置１４は、主制御装置２３からの指令を受けて、生データ記憶装置１３に記憶された投影データを、上記指定されたスライスピッチにより再構成演算し、画像データＩib(ib= 1〜m)を再構成する（ステップ２０４ａ）。この再構成画像データＩibは、画像記憶装置１５に記憶される
（６）「【図１】
」
（７）「【図１１】
」
　上記引用文献２の記載事項及び図面を総合勘案すると、引用文献２には、次の発明（以下「引用発明２」という。）が記載されていると認められる。
「ＣＴ装置を用いて撮影した多数枚のＣＴ画像の読影を支援する医用診断支援システムにおいて、
　このＣＴ装置を用いた医用診断支援システムは、ヘリカルスキャン方式により、被検者（患者）の肺野全体等を撮影するＣＴ装置１と、ＣＴ装置１で取得された投影データの読影（診断）を支援するための診断支援システム部２とを備え、この診断支援システム部２は、疑似スキャノグラム像作成用の疑似スキャノグラム作成装置３と、ＣＴ画像をコンピュータで解析するＣＡＤ装置４とを備えており、
　診断支援システム部２は、データ収集装置９で処理された投影データ（生データ）を記憶する生データ記憶装置１３と、投影データに対し、所要のスライスピッチ及び所要のマトリクスサイズでコンボリューション演算、バックプロジェクション演算を含む再構成演算を行なって画像を再構成する（以下、再構成された画像を再構成画像という）再構成演算装置１４と、再構成画像と後述する擬似スキャノグラム像とを記憶する画像記憶装置１５と、再構成画像に対し必要に応じて所望の画像処理を施す画像処理装置１６と、再構成画像、擬似スキャノグラム像、異常陰影検出結果等をモニタに表示する表示装置１７と、モニタの画面のハードコピーを撮るハードコピー装置１８と、医師の所見記入用のレポート等を印刷する印刷装置１９とを備えており、
　主制御装置２３のメモリ２３ｂには、予め入力装置２４を介して医師により設定された医師対応表データが記憶されており、この医師対応表データは、医師の読影におけるＣＡＤ参照方法、再構成画像（各スライス画像）を表示する際における表示条件等各種条件、方法等であり、予め複数登録された医師のＩＤ番号に対応して適宜設定されており、
　主制御装置２３のＣＰＵ２３ａは、医師の読影の際に、メモリ２３ｂに記憶された医師対応表データを参照し、設定されたＣＡＤ参照方法、表示条件等の各種条件に基づいて対応する各構成要素を制御するようになっており、
　システムの動作は、
　主制御装置２３のＣＰＵ２３ａは、生データ記憶装置１３に記憶された投影データを予め定められた細かいスライスピッチ（例えば２mm）で再構成する指令を再構成演算装置１４に送り、再構成演算装置１４は、その指令に応じて細かいスライスピッチの画像Ｉia（ia=1〜m ）を再構成し、そして、ＣＰＵ２３ａは、ＣＡＤ装置４に異常陰影検出指令を送り、待機状態に入り、ＣＡＤ装置４は、異常陰影検出処理指令が送られると、画像再構成されたＩia（ia=1〜m ）に対し、メモリに記憶されたアルゴリズムに従って異常陰影検出処理を施し、続いてＣＡＤ装置４は、異常陰影が検出されたか否かの判定を行ない、検出された場合はその異常陰影が検出されたスライス位置や異常陰影の位置等を含む情報（異常陰影検出情報）をＣＰＵ２３ａに送ったあと処理を停止し、一方、異常陰影が検出されなかった場合は、異常陰影が検出されなかった旨を表す情報（異常陰影非検出情報）をＣＰＵ２３ａに送ったあと処理を停止し、一方、ＣＰＵ２３ａは、ＣＡＤ装置４から異常陰影検出情報あるいは異常陰影非検出情報が入力されると待機状態から抜け、異常陰影検出情報が入力されたか否か判断し、異常陰影検出情報が入力されていると、その異常陰影検出情報から異常陰影を含むスライス及びその前後（Slice Of Interest:  ＳＯＩと称する）について他のスライスとスライスピッチを変えた再構成画像を作成する指令を再構成演算装置１４に送り、その指令は例えば、ＳＯＩでは、１mmあるいは２mmのように細かいピッチ、その他では１０mmと粗いピッチにするような指令や、ＳＯＩはズーミング再構成を行なってその領域あたりの画素を細かくして再構成し、異常陰影を含む部分を拡大する指令であり、再構成演算装置１４は、主制御装置２３からの指令を受けて、生データ記憶装置１３に記憶された投影データを、上記指定されたスライスピッチにより再構成演算し、画像データＩib(ib= 1〜m)を再構成し、この再構成画像データＩibは、画像記憶装置１５に記憶される、
という動作である、医用診断支援システム。」
３．国際公開第２０１４／１６７４６３号について
　令和２年４月１６日付け補正の却下の決定において、引用文献３として引用された国際公開第２０１４／１６７４６３号（以下「引用文献３」という。）には、図面とともに次の事項が記載されている。（仮訳は、引用文献３のファミリー出願の公表特許公報である特表２０１６−５１４６１４号公報の対応部分から引用した。）
　ア「The user, via the console 112 interface, can accept, reject and/or change a recommended acquisition and/or reconstruction parameter. Parameters can be changed via a graphical drop down menu with predetermined parameter values, a dial, a slider, and/or other graphical control, a keyboard input, voice recognition, and/or other input. Likewise, the image quality index can be changed through such controls. In this instance, a change in the image quality index will include display of a change in any acquisition and/or reconstruction parameters.」（明細書第７頁第３１行−第８頁第３行）
（当審仮訳:ユーザは、コンソール１１２インタフェースを介して、推奨された収集及び／又は再構成パラメータを受け入れ、拒絶、及び／又は変更できる。パラメータは、所定パラメータ値を有するグラフィカルなドロップダウンメニュー、ダイヤル、スライダー、及び／又はその他のグラフィカルコントロール、キーボード入力、音声認識、その他の入力を介して変更できる。同様に、画質インデックスはかかるコントロールを通して変更できる。この例では、画質インデックスにおける変化は、いずれかの収集及び／又は再構成パラメータにおける変化の表示を含む。）
４．特開２０１４−１３８９０９号公報について
　令和２年８月１３日に作成された前置報告書において、周知技術を示す文献として引用文献３として引用された特開２０１４−１３８９０９号公報（以下「引用文献４」という。）には、図面とともに次の事項が記載されている。
「【００１８】
　再構成モードで拡大再構成（ズーミング再構成）が選択されているとき、スキャンエキスパートシステム４３は、スキャン計画画面の断層画像に、拡大再構成の範囲を指定するための円形の関心領域ＲＯＩを重ねて表示する。操作者は、関心領域ＲＯＩに心臓等の関心臓器が収まるように、入力器３９を操作して関心領域ＲＯＩを任意に拡大／縮小し、また移動する（Ｓ６）。関心領域ＲＯＩの設定が完了すると、スキャンエキスパートシステム４３は、その関心領域ＲＯＩの中心、つまり拡大再構成領域の中心の位置を、断層画像の中心、つまりＸ線管１０の回転中心軸の位置に対して一致させるために必要なＸＹ２方向に関する天板２ａの移動距離を計算する（Ｓ７）。」
５．特開２００７−３７７８２号公報について
　令和２年８月１３日に作成された前置報告書において、周知技術を示す文献として引用文献４として引用された特開２００７−３７７８２号公報（以下「引用文献５」という。）には、図面とともに次の事項が記載されている。
「【００２２】
　なお、この最適位相決定処理における再構成画像は、当該処理で決定された最適位相に従って生成される実際の診断のための再構成画像とは、明らかにマトリクスサイズが小さい。マトリクスサイズが小さいことには、撮影ＦＯＶの全域を再構成ＦＯＶとする場合においては解像度が低いこと、又は同じ解像度であっても、撮影ＦＯＶの後述する一部領域（関心領域ＲＯＩ）を再構成ＦＯＶとして拡大再構成（ズーミング再構成）をすることが含まれる。」
６．特開２００２−１４３１５０号公報について
　令和２年８月１３日に作成された前置報告書において、周知技術を示す文献として引用文献５として引用された特開２００２−１４３１５０号公報（以下「引用文献６」という。）には、図面とともに次の事項が記載されている。
「【０００９】このようにして生成した３次元画像を精密診断等のために小さな患部の細部を部分的に拡大して見る場合は、上記再構成した３次元画像を表示器に表示し、この表示画像を見て関心領域を設定し、この設定した関心領域内の投影データを拡大再構成して前記関心領域を拡大表示したり、あるいは撮影条件の異なる複数の３次元画像を一度に並べて見るような、３次元画像を縮小する場合にも、投影データから縮小した再構成画像を生成しこれを表示する方法をとっていた。」
第６　対比・判断
１．本願発明１について
（１）対比
　本願発明１を、引用発明１と比較する。
　ア　引用発明１の「１つ以上の透過型コンピュータ断層撮影（ＣＴ）スキャナである２つの撮像装置１０、１２」を備えた「医用画像再構成技術を備えた撮像システム」は、本願発明１における「Ｘ線ＣＴ装置」に相当する。
　イ　引用発明１では、「電子プロセッサ１６によって実装されるフィードバック収集モジュール５４が、目的の画像受領者からの画像品質嗜好に関する間接的なフィードバックを収集し、電子プロセッサ１６によって実装されるプロファイル更新モジュール５６が、このフィードバックに基づいてパラメータの更新値（又は複数のパラメータの更新値）を決定するとともに、更新された１つ以上のパラメータ値を用いてデータベース５２内のプロファイルを更新し、目的の画像受領者に関する画像受領者再構成プロファイルをデータベース５２から取り出し、取り出した画像受領者再構成プロファイルの画像再構成パラメータ値を用いて、電子プロセッサ１６によって実装される画像再構成設定モジュール５０が、再構成設定処理を実行することにより医用撮像データを再構成して再構成画像を生成することにより、目的の画像受領者に該受領者によって好まれる特性を有する再構成画像を提供するもの」であり、「電子プロセッサ１６」は「１つ以上の透過型コンピュータ断層撮影（ＣＴ）スキャナである２つの撮像装置１０、１２」を備えた「医用画像再構成技術を備えた撮像システム」が備えるものであることから、引用発明１における「電子プロセッサ１６」は「ＣＴ画像の読影傾向に基づいて、」「再構成条件を構築する構築部」及び「前記構築部が構築した再構成条件に基づいて、」「ＣＴ画像を生成する画像生成部」に相当する。
　ウ　引用発明１の「受領者画像表示・レビューモジュール３６」は、「目的の画像受領者（例えば、医師又は放射線医）」に「該受領者によって好まれる特性を有する再構成画像を提供するもの」であるから、本願発明１における「前記画像生成部が生成したＣＴ画像を表示するよう制御する表示制御部」に相当する。
　すると、本願発明１と、引用発明１とは、次の点で一致する。
＜一致点＞
「ＣＴ画像の読影傾向に基づいて、再構成条件を構築する構築部と、
　前記構築部が構築した再構成条件に基づいて、ＣＴ画像を生成する画像生成部と、
　前記画像生成部が生成したＣＴ画像を表示するよう制御する表示制御部と、
　を備える、Ｘ線ＣＴ装置。」
　一方で、両者は、次の点で相違する。
＜相違点１＞
　「ＣＴ画像の読影傾向に基づいて」「再構成条件を構築する構築部」が、本願発明１では「関心領域の内外で異なる再構成条件であって、前記関心領域内においては拡大再構成を行う」再構成条件を構築するのに対し、引用発明１では再構成条件を決定する再構成パラメータが「（以下に限られないが）、反復回数（例えば反復式順／逆投影再構成などの反復再構成アルゴリズムの場合）、ピクセル若しくはボクセルのサイズ、緩和因子（リラクゼーションファクタ）、画像フィルタパラメータ（例えば、フィルタ順序、遮断周波数、等々）、動き補償に関するパラメータ、又は画像トランケーションなどを含み得るもの」である点。
＜相違点２＞
　「前記構築部が構築した再構成条件に基づいて、」「ＣＴ画像を生成する画像生成部」が、本願発明１では「前記関心領域の内外で再構成条件を異ならせない場合より少ない枚数のＣＴ画像であって、前記関心領域内で拡大再構成が行われたＣＴ画像を含むＣＴ画像を生成する」のに対し、引用発明１ではそのような構成を備えていない点。
（２）判断
　前記「（１）」で記載した各相違点について判断する。
　ア　相違点１について
（ア）引用発明２には「主制御装置２３のＣＰＵ２３ａは、生データ記憶装置１３に記憶された投影データを予め定められた細かいスライスピッチ（例えば２mm）で再構成する指令を再構成演算装置１４に送り、再構成演算装置１４は、その指令に応じて細かいスライスピッチの画像Ｉia（ia=1〜m ）を再構成し、そして、ＣＰＵ２３ａは、ＣＡＤ装置４に異常陰影検出指令を送り、待機状態に入り、ＣＡＤ装置４は、異常陰影検出処理指令が送られると、画像再構成されたＩia（ia=1〜m ）に対し、メモリに記憶されたアルゴリズムに従って異常陰影検出処理を施し、続いてＣＡＤ装置４は、異常陰影が検出されたか否かの判定を行ない、検出された場合はその異常陰影が検出されたスライス位置や異常陰影の位置等を含む情報（異常陰影検出情報）をＣＰＵ２３ａに送ったあと処理を停止し、一方、異常陰影が検出されなかった場合は、異常陰影が検出されなかった旨を表す情報（異常陰影非検出情報）をＣＰＵ２３ａに送ったあと処理を停止し、一方、ＣＰＵ２３ａは、ＣＡＤ装置４から異常陰影検出情報あるいは異常陰影非検出情報が入力されると待機状態から抜け、異常陰影検出情報が入力されたか否か判断し、異常陰影検出情報が入力されていると、その異常陰影検出情報から異常陰影を含むスライス及びその前後（Slice Of Interest:  ＳＯＩと称する）について他のスライスとスライスピッチを変えた再構成画像を作成する指令を再構成演算装置１４に送り、その指令は例えば、ＳＯＩでは、１mmあるいは２mmのように細かいピッチ、その他では１０mmと粗いピッチにするような指令や、ＳＯＩはズーミング再構成を行なってその領域あたりの画素を細かくして再構成し、異常陰影を含む部分を拡大する指令であり、再構成演算装置１４は、主制御装置２３からの指令を受けて、生データ記憶装置１３に記憶された投影データを、上記指定されたスライスピッチにより再構成演算し、画像データＩib(ib= 1〜m)を再構成し、この再構成画像データＩibは、画像記憶装置１５に記憶される、という動作」を行う技術が開示されている。
（イ）上記技術では、「異常陰影を含むスライス及びその前後（Slice Of Interest:  ＳＯＩと称する）について他のスライスとスライスピッチを変えた再構成画像を作成する指令」及び「ＳＯＩはズーミング再構成を行なってその領域あたりの画素を細かくして再構成し、異常陰影を含む部分を拡大する指令」が開示されている。この引用発明２の技術は、「関心領域の内外で異なる再構成条件であって、前記関心領域内においては拡大再構成を行う再構成条件」ではあるが、その再構成条件は、ＣＡＤ装置４から異常陰影検出情報を受けた場合にＣＰＵ２３ａが設定する再構成条件であることから、「ＣＴ画像の読影傾向に基づいて」「再構成条件を構築する」ことは行っていない。よって、上記引用発明２が開示する技術は、上記相違点１に係る構成には相当しない。
（ウ）よって、引用発明２には、上記相違点１に係る構成の技術は開示されていない。
（エ）以上のことから、上記相違点１に係る発明特定事項を引用発明１ないし２から当業者が導き出すことはできない。
（オ）また、引用文献３は上記「第５　３．」より、推奨された再構成条件に関してユーザが受け入れ、拒絶、及び／又は変更できる技術を開示する文献であり、引用文献４ないし６は上記「第５　４．ないし６．」より、再構成条件における拡大再構成が本願出願前に周知であることを示す文献であり、上記相違点１に係る構成の技術についての記載はない。よって、引用文献３ないし６には、上記相違点１に係る構成の技術は開示されていない。
（カ）以上のことから、上記相違点１に係る発明特定事項を引用発明１ないし２及び引用文献３ないし６に記載された技術から当業者が導き出すことはできない。
　イ　相違点２について
（ア）引用発明２には、上記「ア（ア）」に示したように「予め定められた細かいスライスピッチ（例えば２mm）で再構成する指令を再構成演算装置１４に送り、再構成演算装置１４は、その指令に応じて細かいスライスピッチの画像Ｉia（ia=1〜m ）を再構成し、」「ＣＡＤ装置４は、異常陰影検出処理指令が送られると、画像再構成されたＩia（ia=1〜m ）に対し、メモリに記憶されたアルゴリズムに従って異常陰影検出処理を施し、続いてＣＡＤ装置４は、異常陰影が検出されたか否かの判定を行ない、検出された場合はその異常陰影が検出されたスライス位置や異常陰影の位置等を含む情報（異常陰影検出情報）をＣＰＵ２３ａに送ったあと処理を停止し、一方、異常陰影が検出されなかった場合は、異常陰影が検出されなかった旨を表す情報（異常陰影非検出情報）をＣＰＵ２３ａに送ったあと処理を停止し、一方、ＣＰＵ２３ａは、ＣＡＤ装置４から異常陰影検出情報あるいは異常陰影非検出情報が入力されると待機状態から抜け、異常陰影検出情報が入力されたか否か判断し、異常陰影検出情報が入力されていると、その異常陰影検出情報から異常陰影を含むスライス及びその前後（Slice Of Interest:  ＳＯＩと称する）について他のスライスとスライスピッチを変えた再構成画像を作成する指令を再構成演算装置１４に送り、その指令は例えば、ＳＯＩでは、１mmあるいは２mmのように細かいピッチ、その他では１０mmと粗いピッチにするような指令や、ＳＯＩはズーミング再構成を行なってその領域あたりの画素を細かくして再構成し、異常陰影を含む部分を拡大する指令」であり、「再構成演算装置１４は、主制御装置２３からの指令を受けて、生データ記憶装置１３に記憶された投影データを、上記指定されたスライスピッチにより再構成演算し、画像データＩib(ib= 1〜m)を再構成し、この再構成画像データＩibは、画像記憶装置１５に記憶される、という動作」を行う技術が開示されている。
（イ）上記「（ア）」より、引用発明２では、まず予め定められた細かいスライスピッチ（例えば２mm）で画像Ｉia（ia=1〜m ）を再構成し、その画像を用いてＣＡＤ装置で異常陰影の有無を判定し、異常陰影があった場合に異常陰影を含むスライス及びその前後（Slice Of Interest:  ＳＯＩと称する）について他のスライスとスライスピッチを変えた、ＳＯＩでは、１mmあるいは２mmのように細かいピッチ、その他では１０mmと粗いピッチにするような指令やＳＯＩはズーミング再構成を行なってその領域あたりの画素を細かくして再構成し、異常陰影を含む部分を拡大する指令で再構成演算して、画像データＩib(ib= 1〜m)を再構成するものであるから、再構成する枚数は、細かいスライスピッチ（例えば２mm）で再構成された画像ＩiaとＳＯＩでは、１mmあるいは２mmのように細かいピッチ、その他では１０mmと粗いピッチにするような指令やＳＯＩはズーミング再構成を行なってその領域あたりの画素を細かくして再構成し、異常陰影を含む部分を拡大する指令で再構成された画像データＩibが生成されることが分かる。これより、引用発明２では画像は画像Ｉiaと画像データＩibが生成されるので、ＳＯＩ領域の内外で再構成条件を異ならせない場合（画像Ｉiaのみ）より画像データＩib分多くＣＴ画像を生成している。
（ウ）よって、引用発明２には、上記相違点２に係る構成について記載されているとは言えず、上記相違点２に係る構成の技術は開示されていない。
（エ）以上のことから、上記相違点２に係る発明特定事項を引用発明１ないし２から当業者が導き出すことはできない。
（オ）また、引用文献３は上記「第５　３．」より、推奨された再構成条件に関してユーザが受け入れ、拒絶、及び／又は変更できる技術を開示する文献であり、引用文献４ないし６は上記「第５　４．ないし６．」より、再構成条件における拡大再構成が本願出願前に周知であることを示す文献であり、上記相違点２に係る構成の技術についての記載はない。よって、引用文献３ないし６には、上記相違点２に係る構成の技術は開示されていない。
（カ）以上のことから、上記相違点２に係る発明特定事項を引用発明１ないし２及び引用文献３ないし６に記載された技術から当業者が導き出すことはできない。
（３）小括
　したがって、本願発明１は、当業者であっても、引用発明１ないし２に基づいて、または引用発明１ないし２及び引用文献３ないし６に記載された技術に基づいて当業者が容易に発明できたものとはいえない。
２．本願発明２ないし７について
　本願発明２ないし７も、本願発明１の上記相違点１及び２に係る発明特定事項を備えるものであるから、本願発明１と同じ理由により、当業者であっても、引用発明１ないし２に基づいて、または引用発明１ないし２及び引用文献３ないし６に記載された技術に基づいて当業者が容易に発明できたものとはいえない。
３．本願発明８について
　本願発明８は、本願発明１の末尾の「Ｘ線ＣＴ装置」を「画像処理装置」に変更した発明であることから、本願発明８も、本願発明１の上記相違点１及び２に係る発明特定事項を備えるものとなるので、本願発明１と同じ理由により、当業者であっても、引用発明１ないし２に基づいて、または引用発明１ないし２及び引用文献３ないし６に記載された技術に基づいて当業者が容易に発明できたものとはいえない。
第７　原査定について
　審判請求時の補正により、本願発明１ないし８は「ＣＴ画像の読影傾向に基づいて、関心領域の内外で異なる再構成条件であって、前記関心領域内においては拡大再構成を行う再構成条件を構築する構築部」と、「前記構築部が構築した再構成条件に基づいて、前記関心領域の内外で再構成条件を異ならせない場合より少ない枚数のＣＴ画像であって、前記関心領域内で拡大再構成が行われたＣＴ画像を含むＣＴ画像を生成する画像生成部」という事項を有するものとなっており、上記「第６」での検討のとおり、当業者であっても、拒絶査定において引用された引用文献１ないし２に基づいて、容易に発明できたものとはいえない。したがって、原査定の理由を維持することはできない。
第８　むすび
　以上のとおり、原査定の理由によっては、本願を拒絶することはできない。
　また、他に本願を拒絶すべき理由を発見しない。
　よって、結論のとおり審決する。